(57)【要約】【課題】簡易に且つ容易に、所定の塗厚が保持されるようにモルタルの塗着作業を行えるようにし、且つモルタルの塗厚を精度良く確認できるようにするモルタル塗厚定規を提供する。【解決手段】モルタル１６が所定の塗厚ｔで塗着されるようにガイドするモルタル塗厚定規であって、モルタル下地面１４に密着配置されるベース部１８と、先端定規ヘッド部１９が所定の塗厚ｔに相当する高さに配置される突出ロッド部２０と、突出ロッド部２０から張り出して設けられた板バネ状アーム部２１とからなり、板バネ状アーム部２１は、先端部分に凹状に湾曲する湾曲係止部２２を備えている。湾曲係止部２２をモルタル下地面１４とラス網１５との間に差し込んでラス網１５に係止することにより、モルタル下地面１４に押し付ける付勢力を生じてベース部１８をモルタル下地面１４に密着させて、先端定規ヘッド部１９をモルタル下地面１４から所定の塗厚ｔの高さに配置する。【選択図】図３
2010174570.tif 000002
【特許請求の範囲】
【請求項１】
モルタル下地面にラス網を介してモルタルを塗着する作業を行う際に、前記モルタル下地面に複数取り付けられてモルタルが所定の塗厚で塗着されるようにガイドするモルタル塗厚定規であって、
前記モルタル下地面に密着配置されるベース部と、該ベース部から突出して先端定規ヘッド部が前記所定の塗厚に相当する高さに配置される突出ロッド部と、該突出ロッド部の外周部から外側に張り出して設けられた複数の板バネ状アーム部とからなり、
該板バネ状アーム部は、突出ロッド部の先端側に向けて凹状に湾曲する湾曲係止部を備えており、該湾曲係止部を前記モルタル下地面と前記ラス網との間隔部分に差し込んで前記ラス網に係止することにより、前記ベース部を前記モルタル下地面に押し付ける付勢力を生じて前記ベース部を前記モルタル下地面に密着させて、前記突出ロッド部の前記先端定規ヘッド部を前記モルタル下地面から前記所定の塗厚に相当する高さに配置するモルタル塗厚定規。
【請求項２】
前記板バネ状アーム部は、前記突出ロッド部の外周部から９０°の等角度ピッチで４方向に張り出して設けられている請求項１記載のモルタル塗厚定規。
【請求項３】
前記突出ロッド部の外周部における前記板バネ状アーム部の張出し基端部が、モルタルの下塗りの塗厚に相当する高さに配置される請求項１又は２記載のモルタル塗厚定規。
【請求項４】
前記板バネ状アーム部は、基端リング部から張り出して前記突出ロッド部とは別パーツとして形成されており、前記基端リング部を前記突出ロッド部の外周部に装着固定することにより、前記突出ロッド部に一体として取り付けられる請求項１〜３のいずれかに記載のモルタル塗厚定規。
【発明の詳細な説明】
【技術分野】
【０００１】
本発明は、モルタル塗厚定規に関し、特に、モルタル下地面にラス網を介してモルタルを塗着する作業を行う際に用いるモルタル塗厚定規に関する。
【背景技術】
【０００２】
建物の外壁に求められる性能として、耐火性、耐震性、耐久性、美観等が挙げられるが、これらのうち特に耐火性に優れた外壁として、モルタル外壁が注目されている。モルタル外壁は、木摺り板を間隔をおいて重ね合わせた木摺り下地や地合板下地等の面材下地の表面に、防水シート等を敷設してモルタル下地面を形成すると共に、形成したモルタル下地面の表面にラス網を取り付け、このラス網に支持させるようにして、モルタル下地面を覆って例えば１６ｍｍ程度の所定の塗厚でモルタルを塗着することにより形成されることになる（例えば、特許文献１参照）。
【先行技術文献】
【特許文献】
【０００３】
【特許文献１】特開２００６−７７５４９号公報
【発明の概要】
【発明が解決しようとする課題】
【０００４】
一方、このようなモルタルの塗着作業は、主として左官職人によってなされており、所定の塗厚に均一に塗着されているか否かは、その技量によるところが大きく、また所定の塗厚に均一に塗着されているか否かをチェックすることも困難である。
【０００５】
すなわち、モルタルの塗厚は、例えば開口部におけるサッシのチリを計測したり、土台水切りや軒天通気見切り等の見切り部材のチリを計測したりすることによって確認することも可能であるが、これらの計測可能な箇所から離れた、いわゆるめくら壁部分に関しては、基準の取り方が容易ではなく、例えば上述の計測可能な箇所から水糸を張って塗厚を確認したり、モルタルの塗着作業の後に、真っ直ぐな定規を当てて不陸を確認することが行われていたが、これらの方法では、モルタルの塗厚を精度良く計測することは困難である。
【０００６】
また、塗着後のモルタルを一部壊して計測することも考えられるが、その補修に手間がかかると共に、外壁の美観を損うおそれがある。さらに、開口部や見切り部材等の計測可能な箇所から離れた部分にも、モルタルの塗厚の指標となる定規を簡易に設けることができれば、高度な熟練を要することなく、所定の塗厚が保持されるうようにさらに容易にモルタルの塗着作業を行うことが可能になると考えられる。
【０００７】
本発明は、簡易に且つ容易に、所定の塗厚が保持されるようにモルタルの塗着作業を行えるようにすることができると共に、モルタルの塗厚を精度良く確認させることのできるモルタル塗厚定規を提供することを目的とする。
【課題を解決するための手段】
【０００８】
本発明は、モルタル下地面にラス網を介してモルタルを塗着する作業を行う際に、前記モルタル下地面に複数取り付けられてモルタルが所定の塗厚で塗着されるようにガイドするモルタル塗厚定規であって、前記モルタル下地面に密着配置されるベース部と、該ベース部から突出して先端定規ヘッド部が前記所定の塗厚に相当する高さに配置される突出ロッド部と、該突出ロッド部の外周部から外側に張り出して設けられた複数の板バネ状アーム部とからなり、該板バネ状アーム部は、突出ロッド部の先端側に向けて凹状に湾曲する湾曲係止部を備えており、該湾曲係止部を前記モルタル下地面と前記ラス網との間隔部分に差し込んで前記ラス網に係止することにより、前記ベース部を前記モルタル下地面に押し付ける付勢力を生じて前記ベース部を前記モルタル下地面に密着させて、前記突出ロッド部の前記先端定規ヘッド部を前記モルタル下地面から前記所定の塗厚に相当する高さに配置するモルタル塗厚定規を提供することにより、上記目的を達成したものである。
【０００９】
そして、本発明のモルタル塗厚定規は、前記板バネ状アーム部が、前記突出ロッド部の外周部から９０°の等角度ピッチで４方向に張り出して設けられていることが好ましい。
【００１０】
また、本発明のモルタル塗厚定規は、前記突出ロッド部の外周部における前記板バネ状アーム部の張出し基端部が、モルタルの下塗りの塗厚に相当する高さに配置されるようになっていることが好ましい。
【００１１】
さらに、本発明のモルタル塗厚定規は、前記板バネ状アーム部が、基端リング部から張り出して前記突出ロッド部とは別パーツとして形成されており、前記基端リング部を前記突出ロッド部の外周部に装着固定することにより、前記突出ロッド部に一体として取り付けられるようになっていることが好ましい。
【発明の効果】
【００１２】
本発明のモルタル塗厚定規によれば、簡易に且つ容易に、所定の塗厚が保持されるようにモルタルの塗着作業を行えるようにすることができると共に、モルタルの塗厚を精度良く確認させることができる。
【図面の簡単な説明】
【００１３】
【図１】本発明の好ましい一実施形態に係るモルタル塗厚定規を用いて形成されるモルタル外壁の構成を説明する要部断面図である。
【図２】本発明の好ましい一実施形態に係るモルタル塗厚定規のモルタル下地面への取り付け状況を説明する部分斜視図である。
【図３】本発明の好ましい一実施形態に係るモルタル塗厚定規のモルタル下地面への取り付け状況を説明する、（ａ）は部分断面図、（ｂ）は部分正面図である。
【図４】本発明の好ましい一実施形態に係るモルタル塗厚定規を示す、（ａ）は側面図、（ｂ）は上面図である。
【図５】本発明の好ましい他の実施形態に係るモルタル塗厚定規を示す、（ａ）は側面図、（ｂ）は分解断面図である。
【図６】本発明の更に他の実施形態に係るモルタル塗厚定規を示す、（ａ）は側面図、（ｂ）は上面図である。
【発明を実施するための形態】
【００１４】
本発明の好ましい一実施形態に係るモルタル塗厚定規１０は、図１及び図２に示すように、例えば建物の外壁部分に、外壁骨組み部材１１に支持させて設置した合板下地等の面材下地１２の表面に防水シート１３を敷設してモルタル下地面１４を形成し、しかる後に形成したモルタル下地面１４の表面にラス網１５を取り付け、このラス網１５に支持させるようにして、モルタル下地面１４を覆ってモルタル１６を塗着することによりモルタル外壁１７を形成する際に、例えば１６ｍｍ程度の所定の塗厚ｔを保持しつつモルタル１６の塗着作業を容易に行えるようにすると共に、モルタル１６の塗着後に、モルタル１６の塗厚を精度良く確認できるようにするために採用されたものである。
【００１５】
すなわち、本実施形態のモルタル塗厚定規１０は、図３及び図４にも示すように、モルタル下地面１４にラス網１５を介してモルタル１６を塗着する作業を行う際に、モルタル下地面１４に複数取り付けられてモルタル１６が所定の塗厚ｔで塗着されるようにガイドする塗厚定規であって、モルタル下地面１４に密着配置されるベース部１８と、ベース部１８から突出して先端定規ヘッド部１９が所定の塗厚ｔに相当する高さに配置される突出ロッド部２０と、突出ロッド部２０の外周部から外側に張り出して設けられた複数の板バネ状アーム部２１とからなり、板バネ状アーム部２１は、突出ロッド部２０の先端側に向けて凹状に湾曲する湾曲係止部２２を備えており、湾曲係止部２２をモルタル下地面１４とラス網１５との間隔部分に差し込んでラス網１５に係止することにより、ベース部１８をモルタル下地面１４に押し付ける付勢力を生じてベース部１８をモルタル下地面１４に密着させて、突出ロッド部２０の先端定規ヘッド部１９をモルタル下地面１４から所定の塗厚ｔに相当する高さに配置するようになっている。
【００１６】
本実施形態では、モルタル下地面１４に取付けられるラス網１５は、金属製の線材を、網目構造となるように交差する２方向に平行に多数配置することによって形成された公知の部材であり、例えばメタルラス、ワイヤラス等の種々のラス網を使用することができる。またラス網１５は、好ましくは力骨をステープル釘等を介してモルタル下地面１４に留め付ける方法等、公知の各種の方法によって、モルタル下地面１４に容易に取り付けることができるようになっている。
【００１７】
そして、本実施形態のモルタル塗厚定規１０は、例えば金属製又は合成樹脂製の部材であって、上述のように、ベース部１８と、突出ロッド部２０と、複数の板バネ状アーム部２１とによって構成される。本実施形態では、ベース部１８は、直径が例えば１０〜３０ｍｍ程度の円形の平面形状を有しており、その平坦な底面を介して、突出ロッド部２０を垂直に立設させつつ安定した状態でモルタル下地面１４に密着することができるようになっている。
【００１８】
突出ロッド部２０は、ベース部１８の中央から垂直に突出する、直径が例えば２〜５ｍｍ程度の円柱ロッド形状の部分であり、その先端には、ベース部１８の底面からモルタル１６の塗厚ｔに相当する高さ位置に、球状に膨出した先端定規ヘッド部１９が設けられている。また、本実施形態では、突出ロッド部２０の先端部分に配置された先端定規ヘッド部１９の直下部分の外周部から、９０°の等角度ピッチで４方向に一体として張り出して、４本の板バネ状アーム部２１が設けられている。
【００１９】
板バネ状アーム部２１は、各々、例えば１〜３ｍｍ程度の幅の細長い帯板状の弾性片によって形成されており、その一端部が突出ロッド部２０の先端部分に一体として接合されると共に、接合された先端部分から斜め下方に張り出して、その張出し先端部分に、突出ロッド部２０の先端側に向けて凹状に湾曲する湾曲係止部２２が設けられている。また、各板バネ状アーム部２１は、当該モルタル塗厚定規１０が取り付けられるラス網１５を構成する、ひし形形状の網目の対角方向の長さを越えて延設していると共に（図２，図３参照）、ラス網１５に取り付けられる前の状態では、先端の湾曲係止部２２は、ベース部１８の底面よりも相当程度高い位置に配置されるようになっている（図４（ａ）参照）。
【００２０】
これによって、モルタル塗厚定規１０は、ラス網１５のひし形形状の網目の各角部の方向に板バネ状アーム部２１を各々配置すると共に、板バネ状アーム部２１の張出し先端部分の湾曲係止部２２をモルタル下地面１４とラス網１５との間隔部分に差し込んでラス網１５に係止することによって、ラス網１５の所望の位置に簡易に且つ容易に取り付けることが可能になる。また、板バネ状アーム部２１の湾曲係止部２２がラス網１５にモルタル下地面１４側から係止されることにより、板バネ状アーム部２１は、これの弾性によってベース部１８をモルタル下地面１４に押し付ける付勢力を生じることになり、この付勢力によりベース部１８をモルタル下地面１４に強固に密着させて、突出ロッド部２０の先端定規ヘッド部１９をモルタル下地面１４から所定の塗厚ｔに相当する高さに安定した状態で配置することが可能になる。
【００２１】
そして、上述の構成を有する本実施形態のモルタル塗厚定規１０によれば、簡易に且つ容易に、所定の塗厚ｔが保持されるようにモルタル１６の塗着作業を行えるようにするとが可能になると共に、モルタルの塗厚を精度良く確認させることが可能になる。
【００２２】
すなわち、本実施形態によれば、モルタル塗厚定規１０は、ベース部１８と、突出ロッド部２０と、板バネ状アーム部２１とからなる簡易且つ安価な構成を備えており、例えば板バネ状アーム部２１を摘んで突出ロッド部２０側にまとめた状態で、ラス網１５のひし形形状の網目に挿入した後に、湾曲係止部２２をモルタル下地面１４とラス網１５との間隔部分に差し込むようにしつつ板バネ状アーム部２１を開放すれば、４本の板バネ状アーム部２１は、対角方向に方向付けされながらその弾性によって各々開いてゆき、湾曲係止部２２がラス網１５の網目の角部に係止されることになる。また４本の板バネ状アーム部２１が網目の角部にモルタル下地面１４側から係止された後は、その弾性によってラス網１５を押し上げるようにしつつ、その反力として、ベース部１８をモルタル下地面１４に押し付ける付勢力を生じることになり、これによって、ラス網１５の任意の位置に、突出ロッド部２０の先端定規ヘッド部１９をモルタル下地面１４から所定の塗厚ｔに相当する高さに配置した状態で、モルタル塗厚定規１０を容易且つ安定した状態でモルタル下地面１４に設置してゆくことが可能になる。
【００２３】
このように、モルタル塗厚定規１０は、開口部や見切り部材等のモルタル１６の塗厚ｔを計測可能な箇所から離れた部分においても、モルタル下地面１４の任意の位置に、必要数、所望の間隔をおいて容易に取り付けることができるので、これらのモルタル塗厚定規１０をモルタル１６の塗厚ｔの指標として、高度な熟練を要することなく、所定の塗厚ｔが保持されるうように容易にモルタルの塗着作業を行うことが可能になる。また、例えばモルタル塗厚定規１０の先端定規ヘッド部１９の先端を塗着されたモルタル１６の表面に臨ませておくことにより、塗着後においても、モルタル１６の塗厚を例えば目視によって精度良く確認することが可能になる。
【００２４】
さらに、本実施形態によれば、モルタル塗厚定規１０を取り付ける際に、防水シート１３を貫通するタッカー等の固定金具を使用しないので、防水シート１３にピンホール等を生じさせることがなく、例えば雨水等が屋内に侵入するのを効果的に回避することが可能になる。
【００２５】
図５（ａ），（ｂ）は、本発明の好ましい他の実施形態に係るモルタル塗厚定規３０の構成を説明するものである。本他の実施形態のモルタル塗厚定規３０では、板バネ状アーム部３１は、基端リング部３２から張り出して突出ロッド部３３とは別パーツとして形成されている。また、突出ロッド部３３の先端定規ヘッド部３４は、略半球形状を有しており、突出ロッド部３３の中間部分には、装着リング溝３５が外周部の周方向に切欠き形成されている。そして、板バネ状アーム部３１は、基端リング部３２を突出ロッド部３３の外周部の装着リング溝３５に装着固定することにより、突出ロッド部３３に一体として取り付けられるようになっている。
【００２６】
また、本他の実施形態のモルタル塗厚定規３０では、突出ロッド部３３の外周部における板バネ状アーム部３１の張出し基端部となる基端リング部３２の端面が、モルタル１６の下塗りの塗厚に相当する、例えばベース部３６の底面から８ｍｍの高さに配置されるようになっている。さらに、本実形態では、別パーツとなった突出ロッド部３３と、基端リング部３２及び板バネ状アーム部３１とは、別の色に着色されている。
【００２７】
そして、本他の実施形態のモルタル塗厚定規３０によっても、板バネ状アーム部３１の湾曲係止部３７をモルタル下地面１４とラス網１５との間隔部分に差し込んでラス網１５に係止することにより、ベース部３６をモルタル下地面１４に押し付ける付勢力を生じて、上記実施形態のモルタル塗厚定規１０と同様の作用効果を奏することになる。
【００２８】
また、基端リング部３２の端面が下塗りの塗厚に相当する高さに配置されているので、基端リング部３２を定規として、下塗りの塗厚を確認しつつ効率良く且つ精度良く、下塗り部分のモルタル１６を塗着してゆくことが可能になると共に、突出ロッド部３３と、基端リング部３２及び板バネ状アーム部３１とが別の色に着色されていることにより、基端リング部３２を定規としてさらに効率良く下塗り部分のモルタル１６を塗着してゆくことが可能になる。
【００２９】
なお、本発明は上記各実施形態に限定されることなく種々の変更が可能である。例えば、板バネ状アーム部は、突出ロッド部の外周部から９０°の等角度ピッチで４方向に張り出して４本設ける必要は必ずしも無い。例えば図６（ａ），（ｂ）に示すように、板バネ状アーム部２１を２本のみ設けた場合でも、同様の作用効果を奏することができる。また、ベース部１８は、直径が円形の平面形状を有している必要は必ずしも無く、長円形や楕円形等、その他の種々の平面形状を備えていても良い。
【符号の説明】
【００３０】
１０，３０  モルタル塗厚定規
１１  外壁骨組み部材
１２  面材下地
１３  防水シート
１４  モルタル下地面
１５  ラス網
１６  モルタル
１７  モルタル外壁
１８，３６  ベース部
１９，３４  先端定規ヘッド部
２０，３３  突出ロッド部
２１，３１  板バネ状アーム部
２２，３７  湾曲係止部
３２  基端リング部
３５  装着リング溝
ｔ    モルタルの所定の塗厚
【図１】
2010174570.tif 000003
【図２】
2010174570.tif 000004
【図３】
2010174570.tif 000005
【図４】
2010174570.tif 000006
【図５】
2010174570.tif 000007
【図６】
2010174570.tif 000008